(57)【要約】      （修正有）【課題】取り付け場所や使用者の好みに合わせて容易かつ見栄えよく所望の張設状態に張設でき、低コスト化できる日除け、および日除けの係止部形成パーツを提供する。【解決手段】雄パーツ２ａの第１挟着部２２の第１挟着面２２ｃから突設された嵌合凸部２３を日除け本体１の編み目を貫通するように配置するとともに、雌パーツ２ｂの第２挟着部２５の第２挟着面２５ｃに穿設された嵌合孔２６に、嵌合凸部２３の拡径部２３ａを弾性変形させながら第２挟着面２５ｃの反対側で嵌合孔２６の周囲に係止させ、第１挟着面２２ｃと第２挟着面２５ｃの間で日除け本体１を挟み込んで、係止部形成パーツ２を日除け本体１に取り付け、日除け本体１の所望位置に係止部２０を形成する。【選択図】図６
2017020298.tif 000002
【特許請求の範囲】
【請求項１】
シート状をした日除け本体と、
この日除け本体が所望の張設状態に保持されるように、前記日除け本体を牽引する牽引体が係止される複数の係止部を備える日除けであって、
前記係止部と、２つの挟着部を有する複数の係止部形成パーツを備え、
前記係止部形成パーツは、一方の挟着部に嵌合孔または嵌合凹部が設けられ、他方の挟着部に前記嵌合孔または嵌合凹部に分離可能に嵌合して、前記日除け本体を挟着保持する嵌合凸部を有することを特徴とする日除け。
【請求項２】
嵌合凸部が、少なくとも先端部にスリットを備えている請求項１に記載の日除け。
【請求項３】
挟着部が、その挟着面に日除け本体に食込むまたは貫通して日除け本体の位置ずれを防止する位置ずれ防止突起を備えている請求項１または請求項２に記載の日除け。
【請求項４】
日除け本体が、平面視多角形をしていて、
係止部形成パーツが、少なくとも一方の挟着部に、その挟着面から他方の挟着部側に突出し、前記多角形のコーナーに沿う第１位置決め部と、前記多角形の辺に沿う第２位置決め部を備えている請求項１〜請求項３のいずれかに記載の日除け。
【請求項５】
係止部形成パーツは、係止部に、牽引体の係止手段が係止される係止孔を複数備え、
これらの係止孔は、第２位置決め部により位置決めされて、日除け本体のコーナーとコーナーの中間位置に取り付けられた係止部形成パーツのいずれかの係止孔と、
第１位置決め部により位置決めされて、日除け本体のコーナーに取り付けられた係止部形成パーツのいずれかの係止孔が、日除け本体の縁に平行な線分上に並ぶピッチに設けられている請求項４に記載の日除け。
【請求項６】
係止部と、２つの挟着部を有し、一方の挟着部が嵌合孔または嵌合凹部を備え、他方の挟着部が前記嵌合孔または嵌合凹部に分離可能に嵌合して、嵌合によって、日除け本体の一部を２つの挟着部の挟着面間に挟着された状態に保持する嵌合凸部を備えることを特徴とする請求項１〜５のいずれかに記載の日除けの係止部形成パーツ。
【発明の詳細な説明】
【技術分野】
【０００１】
本発明は、日除けおよび日除けの係止部形成パーツに関する。
【背景技術】
【０００２】
夏場などの日差しの強い季節には、日光が直接室内に差し込まないように、日本では、すだれや葦簾などが古くから用いられている。
しかし、洋風の家も増えてきており、昨今は、樹脂性繊維を編んだり、織ったりして得られたカラフルでファッション性に富んだシートなどを用いた日除け（シェード）が多く用いられるようになってきている。
【０００３】
かかる日除けは、一般にシート状の日除け本体の上端縁および下端縁に沿って所定ピッチでハトメ金具が装着されている（例えば、特許文献１）。
ところで、上記日除けは、その上端を、例えば、ハトメ金具に一端を固定した紐を壁に設けたフック等に固定する、あるいは、ハトメ金具にサッシ枠等に固定されたフックを直接係止させることによって吊下げ状態にする一方、その下端を、例えば、ハトメ金具に一端を固定した紐を庭やベランダの床に置いた重石やベランダの手摺り等に固定することで、張設状態とされて、日光を遮るとともに、窓の外側に十分な通気性を確保するようになっている。
【先行技術文献】
【特許文献】
【０００４】
【特許文献１】登録実用新案第3195859号公報
【発明の概要】
【発明が解決しようとする課題】
【０００５】
しかし、窓の大きさや、ベランダの手摺りの支柱の間隔などは建物によって異なるため、建物によっては、ハトメ金具の位置がうまく合わずに、しわがよったり、たるんだりして見栄えの悪い張設状態となってしまうことがある。
そこで、日除け本体の一辺に設けるハトメ金具の数を増やし、ハトメ金具を選択できるようにすれば、上記問題を解決することができるが、張設に使用しないハトメ金具が多くなり、却って見栄えが悪くなる。
【０００６】
また、ハトメ金具部分から日光が差し込んで日除け効果が損なわれるおそれがある。
しかも、ハトメ金具部分を日除け本体のハトメ金具を取り付ける部分は、シートを折り折り返すなど厚みを厚くしなければならず、日除けの製造コストが嵩むという問題もあるとともに、ハトメ金具の重量で、日除けそのものの重量が重くなり、輸送コストの点でも問題がある。
【０００７】
本発明は、上記事情に鑑みて、取り付け場所や使用者の好みに合わせて容易かつ見栄えよく所望の張設状態に張設することができるとともに、低コスト化できる日除けおよびこの日除けに用いる係止部形成パーツを提供することを目的としている。
【課題を解決するための手段】
【０００８】
上記目的を達成するために、本発明にかかる日除け（以下、「本発明の日除け」と記す）は、シート状をした日除け本体と、この日除け本体が所望の張設状態に保持されるように、前記日除け本体を牽引する牽引体が係止される複数の係止部を備える日除けであって、前記係止部と、２つの挟着部を有する複数の係止部形成パーツを備え、前記係止部形成パーツは、一方の挟着部に嵌合孔または嵌合凹部が設けられ、他方の挟着部に前記嵌合孔または嵌合凹部に分離可能に嵌合して、前記日除け本体を挟着保持する嵌合凸部を有することを特徴としている。
【０００９】
本発明において、上記係止部形成パーツは、係止部に必要な強度を確保することができれば、その材質は特に限定されないが、軽量で、射出成形で成形できるポリプロピレン、ポリエチレン、ポリアミド、ポリカーボネート、ポリ塩化ビニルなどの熱可塑性樹脂が好ましく、ポリプロピレンが一般的である。
【００１０】
本発明の日除けにおいて、挟着部は、特に限定されないが、例えば、その挟着面に日除け本体に食込むまたは日除け本体を貫通して日除け本体の位置ズレを防止する位置ズレ防止突起を備えていることが好ましい。
また、本発明の日除けにおいて、日除け本体としては、シート状で、日除け効果を備えていれば、その材質は、特に限定されないが、ポリエチレン、ポリアミド等の熱可塑性樹脂や、天然繊維でも構わない。
【００１１】
日除け本体は、遮光できれば特に限定されないが、通気性を備えていることが好ましい。
日除け本体の形状は、特に限定されないが、例えば、平面視長方形、正方形が一般てきであるが、三角形、五角形、六角形などの平面視多角形形状でもよいし、長円形状や星型でも構わない。
【００１２】
なお、日除け本体が、平面視多角形をしている場合、係止部形成パーツは、少なくとも一方の挟着部に、その挟着面から他方の挟着部側に突出し、前記多角形のコーナーに沿う第１位置決め部と、前記多角形の辺に沿う第２位置決め部を備えていることが好ましい。
すなわち、係止部形成パーツを日除け本体のコーナー部に取り付けるときは、日除け本体のコーナー部をコーナー部を挟む２辺をそれぞれ第１位置決め部に沿うように配置すれば、係止部が、日除け本体のコーナーから所定の長さ分だけ突出した状態に正確に日除け本体に取り付けることができる。
一方、日除け本体のコーナー部とコーナー部の間の部分（以下、「中間位置」と記す）に係止部形成パーツを取り付ける場合には、日除け本体の中間位置で、日除け本体の端縁を第２位置決め部に沿うように配置すれば、係止部が、日除け本体の端縁から一定長さ突出した状態で、日除け本体に係止部形成パーツを取り付けることができる。
【００１３】
また、係止部形成パーツは、係止部に、牽引体の係止手段が係止される係止孔を複数備え、これらの係止孔は、第２位置決め部により位置決めされて、日除け本体のコーナーとコーナーの中間位置に取り付けられた係止部形成パーツのいずれかの係止孔と、第１位置決め部により位置決めされて、日除け本体のコーナーに取り付けられた係止部形成パーツのいずれかの係止孔が、日除け本体の縁に平行な線分上に並ぶピッチに設けられていることが好ましい。
すなわち、係止フックを例えば水平方向に一直線に並ぶように窓のサッシなどに設け場合、係止孔が１つでは、コーナーに配置された係止部形成パーツの係止孔の高さ位置（日除け本体の端縁からの距離）が中間位置に配置された係止部形成パーツの係止孔の高さ位置より低くなってしまうため、係止フックを係止孔に直接係止されるようにすると、日除け本体にしわやひきつれなどが発生するが、複数の係止孔を設け、一直線に並ぶ係止孔を選択して係止フックを係止させることで、日除け本体にしわやひきつれを起こすことなくきれいに日除けを吊下げ状態とすることができる。
【発明の効果】
【００１４】
本発明の日除けは、上記のように、シート状をした日除け本体と、この日除け本体が所望の張設状態に保持されるように、前記日除け本体を牽引する牽引体が係止される複数の係止部を備える日除けであって、前記係止部と、２つの挟着部を有する複数の係止部形成パーツを備え、前記係止部形成パーツは、一方の挟着部に嵌合孔または嵌合凹部が設けられ、他方の挟着部に前記嵌合孔または嵌合凹部に分離可能に嵌合して、前記日除け本体を挟着保持する嵌合凸部を有するので、取り付け場所や使用者の好みに合わせて容易かつ見栄えよく所望の張設状態に張設することができるとともに、低コスト化できる。
すなわち、日除けを吊下げる係止フックなどの係止手段の位置に合わせて、係止部の位置を容易に変更することができる。
【図面の簡単な説明】
【００１５】
【図１】本発明の日除けの第１の実施の形態の使用状態をあらわす斜視図である。
【図２】図１の日除けに用いる係止部形成パーツの雄パーツであって、同図（ａ）はその平面図、同図（ｂ）はその側面図、同図（ｃ）はその背面図である。
【図３】図１の日除けに用いる係止部形成パーツの雌パーツであって、同図（ａ）はその平面図、同図（ｂ）はその側面図、同図（ｃ）はその背面図である。
【図４】図２の雄パーツの挟着面に日除け本体のコーナー部を配置した状態を説明する図である。
【図５】図２の雄パーツの挟着面に日除け本体の幅方向中間部を配置した状態を説明する図である。
【図６】図１の日除けの図４のＸ−Ｘ線部分の断面図である。
【図７】図１の日除けの別の使用例を説明する図である。
【図８】本発明にかかる係止部形成パーツの他の例をあらわす斜視図である。
【図９】図８の係止部形成パーツの側面図である。
【図１０】図８の係止部形成パーツの雄パーツの斜視図である。
【図１１】図８の係止部形成パーツの雌パーツの斜視図である。
【発明を実施するための形態】
【００１６】
以下に、本発明を、その実施の形態をあらわす図面を参照しつつ詳しく説明する。
図１は、本発明にかかる日除けの第１の実施の形態をあらわしている。
【００１７】
図１に示すように、この日除けＡは、日除け本体１と、６つの係止部形成パーツ２を備えている。
日除け本体１は、例えば、ポリエチレン樹脂等の樹脂糸が風を通すが、日光の透過を効率よく防ぐような大きさの編み目を有するように編まれた長方形のシート状をしている。
なお、日除け本体１は、長尺のシート状編地を所望の大きさに裁断して得ることもできる。
【００１８】
係止部形成パーツ２は、ポリプロピレン樹脂を射出成形して得られる図２に示す雄パーツ２ａと、図３に示す雌パーツ２ｂを備えている。
雄パーツ２ａは、図２（ｃ）に示すように係止部形成部２１と、第１挟着部２２を備えている。
【００１９】
係止部形成部２１は、3.5mmの厚みをしていて、係止孔となる第１貫通孔２１ａと第２貫通孔２１ｂを備えている。
第１貫通孔２１ａは、第１挟着部２２側に設けられ、10mm程度の直径の円形をしている。
第２貫通孔２１ｂは、係止部形成部２１の先端側に設けられ、例えば、10mm程度の直径の円形孔の係止部形成部２１の先端側に例えば、5mmの幅の長孔状の切れ込み２１ｃが連結された形状をしている。
【００２０】
第１挟着部２２は、厚みが2mmで、第１挟着面２２ｃ側において、後述する第１位置決め部２２ａと第２位置決め部２２ｂを形成する1.5mmの段差を係止部形成部２１との間に形成するように設けられている。
第１位置決め部２２ａは、図２（ｃ）に示すように、第１挟着部２２の係止部形成部２１の中央部に設けられ、直角二等辺三角形をしている。
第２位置決め部２２ｂは、第１位置決め部２２ａの直角二等辺三角形の斜辺に対し直線状に並ぶように第１位置決め部２２ａの両側に設けられている。
【００２１】
また、第１挟着部２２は、第１挟着面２２ｃに２つの嵌合凸部２３と、多数の係止突起２４を備えている。
２つの嵌合凸部２３は、雄パーツ２ａの幅方向の中心軸を挟んで対称位置で挟着面から突設されていて先端に拡径部２３ａを備えている。
係止突起２４は、第１位置決め部２２ａの二等辺部分に平行なＶ字状部分を除く部分に雄パーツ２ａの幅方向の中心軸を挟んで対称に設けられていて、嵌合凸部２３より外径が細く先端が丸くなっている。
【００２２】
雌パーツ２ｂは、図３（ｃ）に示すように、係止部形成部２１、第２挟着部２５、第１位置決め部２５ａおよび第２位置決め部２５ｂが、雄パーツ２ａの係止部形成部２１、第１挟着部２２、第１位置決め部２２ａおよび第２位置決め部２２ｂと対称となるように設けられている。
また、雌パーツ２ｂは、第２挟着部２５の第２挟着面２５ｃの、２つの嵌合凸部２３に対応する位置にそれぞれ嵌合孔２６が穿設され、各係止突起２４に対応する位置に係合孔２７が穿設されている。
【００２３】
嵌合孔２６は、嵌合凸部２３の拡径部２３ａが、弾性変形しながら貫通可能な程度で、拡径部２３ａの外径より小径となっている。
係合孔２７は、係止突起２４の外径とほぼ同じ径をしている。
なお、上記に示した各部の寸法は、あくまでも１つの例示であって、例えば、用いる樹脂の種類や物性、デザインなどに応じて適宜変更される。
【００２４】
上記係止部形成パーツ２は、以下のようにして日除け本体１に取り付けられる。
〔係止部形成パーツ２の日除け本体１のコーナーへの取り付け〕
図４に示すように、雄パーツ２ａの第１位置決め部２２ａに日除け本体１の１つのコーナーが沿うように日除け本体１を配置し、嵌合凸部２３および係止突起２４を、編み目部分を介して日除け本体１に貫通させたのち、雌パーツ２ｂを嵌合凸部２３の拡径部２３ａが第２挟着面２５ｃの反対側の面まで嵌合孔２６を貫通するように、嵌合凸部２３を嵌合孔２６に嵌合させる。すなわち、拡径部２３ａは、弾性変形する力が加わらない限り、嵌合孔２６の周囲に係止されて、雄パーツ２ａと雌パーツ２ｂが重ねあわされる。そして、図６に示すように、第１挟着面２２ｃと第２挟着面２５ｃの間で日除け本体１の一部が挟み込まれた状態が維持される。また、２つの係止部形成部２１，２１によって係止部２０が形成される。
また、嵌合凸部２３の嵌合孔２６への嵌合と同時に係止突起２４の先端が係止孔２７に嵌り込み、嵌合凸部２３および係止突起２４によって第１挟着面２２ｃおよび第２挟着面２５ｃに平行な方向の動きが抑止される。
【００２５】
〔係止部形成パーツ２の日除け本体１の中間位置への取り付け〕
図５に示すように、中間位置の端縁が雄パーツ２ａの第２位置決め部２２ｂに沿うように日除け本体１を配置し、コーナーへの取り付けと同様に嵌合凸部２３および係止突起２４を、編み目部分を介して日除け本体１に貫通させるとともに、雌パーツ２ｂを嵌合凸部２３の拡径部２３ａが第２挟着面２５ｃの反対側の面まで嵌合孔２６を貫通するように、嵌合凸部を嵌合孔２６に嵌合させる。
そして、コーナーへの取り付けと同様にして雌パーツ２ｂを雄パーツ２ａに重ね合わせる。
なお、上記のようにしてコーナーに取り付けられた係止部形成パーツ２と、中間位置に取り付けられた係止部形成パーツ２は、コーナーに取り付けられた係止部形成パーツ２の第２貫通孔２１ｂ、２１ｂと、中間位置に取り付けられた係止部形成パーツ２の第１貫通孔２１ａ、２１ａが、日除け本体１の上縁に平行な線分上に並ぶようになっている。
【００２６】
そして、上記日除けＡは、例えば、図１あるいは図７に示すようにして用いられる。
すなわち、図１に示すように、日除けＡは、日除け本体１の４つのコーナーと、日除け本体１の長方形の２つの短辺中央にそれぞれ係止部形成パーツ２が取り付けられていて、例えば、図１に示すように、掃きだし窓が設けられた壁４にフック５を取り付けるとともに、庭の地面上やテラスなどの床７に、樹脂製の水タンク型オモリ８を設置し、第１貫通孔２１ａ、２１ａ（または第２貫通孔２１ｂ、２１ｂ）に挿通した紐３を、フック５およびオモリ８に結びつけて、日除け本体１を真っ直ぐに張った張設状態にする。
また、図７に示すように、サッシ９の上縁に沿って設けられたフック９１が設けられている場合、コーナーに取り付けられた係止部形成パーツ２の第２貫通孔２１ｂ、２１ｂに、中間位置に取り付けられた係止部形成パーツ２の第１貫通孔２１ａ、２１ａにそれぞれフック９１を直接係止させる。
【００２７】
この日除けＡは、上記のようになっており、以下のような優れた効果を備えている。
（１）係止部形成パーツ２の雄パーツ２ａと雌パーツ２ｂが嵌合凸部２３を嵌合孔２６に嵌合させるだけで、第１挟着面２２ｃと第２挟着面２５ｃの間で日除け本体１の所望部分を挟み込んだ状態で係止部形成パーツ２を容易に日除け本体１に取り付けることができる。そして、係止部形成パーツ２の第１挟着部２２と第２挟着部２５を、拡径部２３ａを弾性変形させるような力で押し広げるようにすれば容易に取り付けを解除できる。
したがって、係止部形成パーツ２の取り付け位置を変更して、係止部２１を日除けＡを取り付ける建物や窓の大きさに適合する位置に合わせることができる。すなわち、常に日除け本体１を見栄えのよい張設状態にすることができる。
（２）１種の係止部形成パーツ２で、日除け本体１のコーナーと中間位置のいずれにも取り付けすることができる。すなわち、コストダウンを図ることができる。
（３）第１位置決め部２２ａと、第２位置決め部２２ｂを備えているので、図７のように一直線に並んだフック９１に係止部２１を直接係止させる場合にも、フック９１が係止される貫通孔を選択して日除け本体１の上端を真っ直ぐにして吊下げ状態とすることができる。
（４）第２貫通孔２１ｂが長孔状の切れ込み２１ｃを備えているので、紐３が切れ込み２１ｃ内に嵌り込み、横ずれしたりすることがない。
（５）係止部２１の数を必要最小限にすることができるので、日除けＡの全体状量も軽減できるとともに、低コスト化できる。
【００２８】
図８および図９は、本発明の係止部形成パーツの他の例をあらわしている。
図８および図９に示すように、この係止部形成パーツ２００は、雄パーツ２ｃと、雌パーツ２ｄを備えている。
【００２９】
雄パーツ２ｃは、図１０に示すように、係止部形成部２１の雌パーツ２ｄ側の面に２つの第１嵌合凸部２１ｄを備えている。
第１嵌合凸部２１ｄは、先端部が円錐状に先細り形状になっているとともに、それぞれ先端から基端に向ってスリット２１１が設けられている。
【００３０】
また、雄パーツ２ｃは、第１挟着部２２の第１挟着面２２ｃに２つの第２嵌合凸部２８が設けられている。
第２嵌合凸部２８は、先端部が円錐状に先細り形状になっているとともに、それぞれ先端から基端に向ってスリット２８ａが設けられている。
【００３１】
雌パーツ２ｄは、図１１に示すように、係止部形成部２１の第１嵌合凸部２１ｄに対応する位置に第１嵌合孔２１ｅが穿設され、第２挟着部２５の第２嵌合凸部２８に対応する位置に第２嵌合孔２６が穿設されている。
なお、図８〜図１１において、第１の実施の形態の係止部形成パーツ２と同一作用部分は、係止部形成パーツ２と同様に符号を付している。
【００３２】
そして、この係止部形成パーツ２００は、雄パーツ２ｃの第２嵌合凸部２８および係止突起２４を日除け本体１に貫通させるとともに、図９に示すように、第１嵌合凸部２１ｄおよび第２嵌合凸部２８をそれぞれ第１嵌合孔２１ｅあるいは第２嵌合孔２６に嵌合させ、係止突起２４を係止孔２７に嵌合することによって、上記係止部形成パーツ２と同様にして日除け本体１に取り付けることができる。
【００３３】
この係止部形成パーツ２００は、上記のように、雄パーツ２ｃの係合部形成部２１に第１嵌合凸部２１ｄが設けられ、この第１嵌合凸部２１ｄが雌パーツ２ｄの係合部形成部２１に穿設された第１嵌合孔２１ｅに嵌合するようになっているので、係合部形成部２１同士がしっかり密着状態に保持される。
また、第１嵌合凸部２１ｄおよび第２嵌合凸部２８は、先端部が円錐状に先細りになっているとともに、それぞれスリット２１１、２８ａを備えているので、第１嵌合孔２１ｅあるいは第２嵌合孔２６の嵌合をスムーズに行うことができる。
【００３４】
すなわち、嵌合の際に、先端部に設けられた円錐状部分のテーパー面が第１嵌合孔２１ｅあるいは第２嵌合孔２６の周縁に当たることによって第１嵌合凸部２１ｄおよび第２嵌合凸部２８が弾性変形してスリット２１１あるいはスリット２８ａが閉じるように縮径しスムーズに第１嵌合孔２１ｅあるいは第２嵌合孔２６に嵌り込む。
そして、弾性復元力によって、第１嵌合凸部２１ｄおよび第２嵌合凸部２８の周面が、第１嵌合孔２１ｅあるいは第２嵌合孔２６の内壁面に直接、あるいは、日除け本体１の一部を介在した状態圧接され、嵌合状態が保持される。
なお、圧接力が弱い場合は、スリット２１１あるいはスリット２８ａにスペーサなどを挿入し、第１嵌合凸部２１ｄあるいは第２嵌合凸部２８を少し拡径させるようにしてもよい。
【００３５】
一方、雌パーツ２ｄを雄パーツ２ｃから取り外す場合は、例えば、第１嵌合凸部２１ｄおよび第２嵌合凸部２８のマイナスドライバーなどの治具を円錐状部分と、第１嵌合孔２１ｅあるいは第２嵌合孔２６との間に挿入し、スリット２１１あるいはスリット２８ａを縮径させながら、雌パーツ２ｄを雄パーツ２ｃから離れるように持ち上げれば、容易に取り外すことができる。
したがって、係止部形成パーツ２００の取り付け位置を容易に変更することができる。
【００３６】
本発明は、上記の実施の形態に限定されない。例えば、係止部形成パーツの、段差の高さ、挟着部の厚み、大きさなどは、樹脂の種類、日除け本体の厚みなどに応じて適宜決定され、上記実施の形態で挙げた数値は、一例に過ぎない。
また、上記の実施の形態では、第１挟着面に係止突起が設けられていない部分があるが、
全体に均一間隔で係止突起を設けるようにしても構わない。また、両側の挟着面に係止突起を設けても良い。
【００３７】
上記の実施の形態では、雄パーツと雌パーツが別体に成形されていたが、係止部形成部の先端部同士を樹脂ヒンジで連結した構造としても構わない。
上記の実施の形態では、係止部形成部に貫通孔を設け、この貫通孔に紐やフックを通すようにしていたが、孔に替えて鉤状の凹部を係止部に設けるようにしても構わない。
【００３８】
上記の実施の形態では、１種の係止部形成パーツが、コーナー用と、直線部用とを兼用できるようになっていたが、コーナー用と、直線部用とを別のパーツとしても構わない。
上記の実施の形態では、１つの係止部に２つの貫通孔が設けられていたが、３つ以上でも構わない。
【符号の説明】
【００３９】
Ａ  日除けＡ
１  日除け本体１
２，２００  係止部形成パーツ
２ａ，２ｃ  雄パーツ
２ｂ，２ｄ  雌パーツ
２０  係止部
２１  係止部形成部
２２  第１挟着部
２１ａ  第１貫通孔
２１ｂ  第２貫通孔
２１ｃ  長孔部
２１ｄ  第１嵌合凸部
２１１  スリット
２２ａ  第１位置決め部
２２ｂ  第２位置決め部
２２ｃ  第１挟着面
２３  嵌合凸部
２４  係止突起
２５  第２挟着部
２５ａ  第１位置決め部
２５ｂ  第２位置決め部
２５ｃ  第２挟着面
２６  嵌合孔（第２嵌合孔）
２７  係合孔
２８  第２嵌合凸部
２８ａ  スリット
３  紐
４  壁
５  フック
７  庭の地面上やテラスなどの床
８  オモリ
９  サッシ
９１  フック
【図１】
2017020298.tif 000003
【図２】
2017020298.tif 000004
【図３】
2017020298.tif 000005
【図４】
2017020298.tif 000006
【図５】
2017020298.tif 000007
【図６】
2017020298.tif 000008
【図７】
2017020298.tif 000009
【図８】
2017020298.tif 000010
【図９】
2017020298.tif 000011
【図１０】
2017020298.tif 000012
【図１１】
2017020298.tif 000013